(57)【要約】【課題】加入者カードを用いる携帯電話端末において、データを消去する処理を行うことなく、データを書き込んだ本人以外の者に、そのデータを閲覧されることを防止する。【解決手段】  ＳＩＭカード１７が正常に挿入されている場合、そのＳＩＭカード１７のＩＤを書込用保護ＩＤかつ読込用保護ＩＤとして第２メモリ１５に格納する。携帯電話端末１０にＳＩＭカード１７が挿入されている状態でデータの書き込みを指示された際には、その時点で第２メモリ１５に格納されている書込用保護ＩＤを付加した上で第１メモリ１４にデータを格納する。第１メモリ１４に格納されたデータの読み込みを指示された際には、当該データにＩＤが付加されており、かつ当該ＩＤがその時点で第２メモリ１５に格納されている読込用保護ＩＤと一致している場合に、指示されたデータを表示部１２に表示する。【選択図】図１
2005079799.tif 000002
【特許請求の範囲】
【請求項１】
加入者カードを用いる携帯電話端末によるデータ保護方法において、
前記携帯電話端末に前記加入者カードが挿入されている場合、当該加入者カードの識別番号を書込用識別番号かつ読込用識別番号として設定する第１のステップと、
前記携帯電話端末に前記加入者カードが挿入されている状態で前記データの書き込みを指示された際に、その時点で前記携帯電話端末に設定されている前記書込用識別番号を付加した上で、前記データを前記携帯電話端末内に格納する第２のステップと、
前記携帯電話端末内に格納されたデータの読み込みを指示された際に、当該データに識別番号が付加されており、かつ当該識別番号がその時点で前記携帯電話端末に設定されている前記読込用識別番号と一致している場合に、前記指示されたデータを前記携帯電話端末の画面に表示する第３のステップとを有する、携帯電話端末によるデータ保護方法。
【請求項２】
前記読込用識別番号の追加を指示された際に、その時点で前記携帯電話端末に挿入されている加入者カード以外の別加入者カードの正当な識別番号および暗証番号が指示されたことを条件として、当該別加入者カードの識別番号を読込用追加識別番号として設定する第４のステップをさらに有し、
前記第３のステップでは、前記携帯電話端末内に格納されたデータの読み込みを指示された際に、当該データに識別番号が付加されており、かつ当該識別番号がその時点で前記携帯電話端末に設定されている前記読込用追加識別番号と一致している場合にも、前記指示されたデータを前記携帯電話端末の画面に表示する、請求項１に記載の携帯電話端末によるデータ保護方法。
【請求項３】
前記携帯電話端末内から読み込んだデータの編集を指示された際に、当該データに識別番号が付加されており、かつ当該識別番号がその時点で前記携帯電話端末に設定されている前記書込用識別番号と一致している場合に、前記指示されたデータの編集を許可する旨を前記携帯電話端末の画面に表示する第５のステップをさらに有する、請求項１または２に記載の携帯電話端末によるデータ保護方法。
【請求項４】
加入者カードを用いる携帯電話端末において、
各種の指示が入力される入力手段と、
前記加入者カードにより保護するデータを格納する第１の格納手段と、
前記加入者カードが挿入されている場合、当該加入者カードの識別番号を書込用識別番号かつ読込用識別番号として格納する第２の格納手段と、
前記データを画面に表示する表示手段と、
前記加入者カードが挿入されている状態で前記データの書き込み指示が前記入力手段に入力された際には、その時点で前記第２の格納手段に格納されている前記書込用識別番号を付加した上で、前記データを前記第１の格納手段に格納し、前記第１の格納手段に格納されたデータの読み込み指示が前記入力手段に入力された際には、当該データに識別番号が付加されており、かつ当該識別番号がその時点で前記第２の格納手段に格納されている前記読込用識別番号と一致している場合に、前記指示されたデータを前記表示手段に表示させる制御手段とを有する、携帯電話端末。
【請求項５】
前記第２の格納手段は、前記読込用識別番号の追加指示が前記入力手段に入力された際には、その時点で挿入されている加入者カード以外の別加入者カードの正当な識別番号および暗証番号が前記入力手段に入力されたことを条件として、当該別加入者カードの識別番号を読込用追加識別番号として格納し、
前記制御手段は、前記第１の格納手段に格納されたデータの読み込み指示が前記入力手段に入力された際には、当該データに識別番号が付加されており、かつ当該識別番号がその時点で前記第２の格納手段に格納されている前記読込用追加識別番号と一致している場合にも、前記指示されたデータを前記表示手段に表示させる、請求項４に記載の携帯電話端末。
【請求項６】
前記制御手段は、前記第１の格納手段から読み込んだデータの編集指示が前記入力手段に入力された際には、当該データに識別番号が付加されており、かつ当該識別番号がその時点で前記第２の格納手段に格納されている前記書込用識別番号と一致している場合に、前記指示されたデータの編集を許可する旨を前記表示手段に表示させる、請求項４または５に記載の携帯電話端末。
【発明の詳細な説明】
【技術分野】
【０００１】
本発明は、ＳＩＭ（Subscriber Identification Module）カード等の加入者カードを用いる携帯電話端末によるデータ保護方法、および携帯電話端末に関する。なお、本明細書では、加入者とは、加入者カードのサービスに加入している者を指し、ユーザーとは、加入者カードの加入者を含み、携帯電話端末を使用するユーザー全般を指すものとする。
【背景技術】
【０００２】
近年、携帯電話端末に保存されるデータ量は急激的に増加している。その結果、携帯電話端末には、他人に知られては困るユーザーデータも多数保存されるようになっている。
【０００３】
現在の携帯電話端末には、そのようなユーザーデータの漏洩を防ぐための保護機能として、シークレットモードやメールフォルダのセキュリティなどの機能が備えられている。
【０００４】
しかしながら、いずれの保護機能でユーザーデータを保護する場合にも、保護されたユーザーデータにアクセスする際には、誰がアクセスするにしても、アクセスするたびに認証のための処理（暗証番号の入力等）を実行しなければならないという煩わしさがある。
【０００５】
また、いずれの保護機能でユーザーデータを保護する場合も、意図的に保護のための処理を実行しなければならないため、携帯電話端末には保護し忘れたユーザーデータも存在していると考えられ、そのようなユーザーデータについては他人に閲覧されてしまう可能性が高くなる。
【０００６】
さらに、現在の携帯電話端末には、認証のための暗証番号も１つしか設定することができないため、何らかの課程でその携帯電話端末の暗証番号が知られてしまうと、全てのユーザーデータが漏洩してしまうという危険性も無視できない。そのため、例えば、会社や家庭において、複数ユーザーで共有している携帯電話端末などには、個人的なユーザーデータを保存することができない。
【０００７】
また、現在の携帯電話端末には、携帯電話端末に保存されているユーザーデータに容易にアクセスされないように、ユーザーデータを保存した後に、ユーザーデータへのアクセスを制限するロック機能なども備えられている。
【０００８】
しかしながら、携帯電話端末においては、ロック機能を利用している場合、全てのユーザーデータにアクセスできない状態となり、利便性に欠ける。そのため、ロック機能は頻繁に利用されていないのが現状である。
【０００９】
また、近年、携帯電話端末に備えられる機能が急激に増加しているため、ユーザーの中には、保護機能を知らないユーザーや、保護機能の使い方が分からないユーザーも多数存在する。このようなユーザーにとっては、保護したいユーザーデータがあったとしても、そのユーザーデータの保護の仕方が分からない。そのため、このようなユーザーは、他人に閲覧されたくないデータであっても、そのデータが漏洩する可能性があると認識した上でそのユーザーデータを保護することなく保存するか、または、そのユーザーデータを保存しない（削除してしまう）といった処理を取らざるを得ない。
【００１０】
そこで最近では、ＳＩＭカードを用いてユーザーデータを保護することにより、複雑な処理を行うことなく他人がユーザーデータを閲覧することを防止できる携帯電話端末が一部で開示されている（例えば、特許文献１）。
【００１１】
この特許文献１に開示された携帯電話端末においては、携帯電話端末からＳＩＭカードを引き抜く際に、内部に保存されたユーザーデータを消去するか、または、消去の際に、そのユーザーデータを外付けメモリに転送し記録させることとしている。したがって、携帯電話端末を他人に渡す場合にも、携帯電話端末からＳＩＭカードを引き抜いておけば、内部に保存されたプライベートなユーザーデータを他人が閲覧することを防止できる。
【特許文献１】特開２００２−２７９３２５号公報
【発明の開示】
【発明が解決しようとする課題】
【００１２】
しかしながら、特許文献１に開示された携帯電話端末においては、あるユーザーがユーザーデータを他人に閲覧されることを防止する場合、そのユーザーデータを携帯電話端末から消去する手順が必要となる。
【００１３】
そのため、ユーザーが、ユーザーデータを携帯電話端末上で再度閲覧するためには、そのユーザーデータを一旦外付けメモリに転送して退避させ、その後、携帯電話端末に再転送するといった面倒な処理が必要であるという問題点がある。
【００１４】
そこで、本発明の目的は、ＳＩＭカード等の加入者カードを用いる携帯電話端末において、データを消去する処理を行うことなく、データを書き込んだ本人以外の者に、そのデータを閲覧されることを防止することができる、携帯電話端末によるデータ保護方法、および携帯電話端末を提供することにある。
【課題を解決するための手段】
【００１５】
上記目的を達成するために、本発明の加入者カードを用いる携帯電話端末によるデータ保護方法は、
前記携帯電話端末に前記加入者カードが挿入されている場合、当該加入者カードの識別番号を書込用識別番号かつ読込用識別番号として設定する第１のステップと、
前記携帯電話端末に前記加入者カードが挿入されている状態で前記データの書き込みを指示された際に、その時点で前記携帯電話端末に設定されている前記書込用識別番号を付加した上で、前記データを前記携帯電話端末内に格納する第２のステップと、
前記携帯電話端末内に格納されたデータの読み込みを指示された際に、当該データに付加されている識別番号がその時点で前記携帯電話端末に設定されている前記読込用識別番号と一致している場合に、前記指示されたデータを前記携帯電話端末の画面に表示する第３のステップとを有することを特徴とする。
【００１６】
この構成によれば、加入者カードを挿入して書き込みを行うだけで、その加入者カードの識別番号が付加されてデータが保護され、また、その加入者カードを挿入するだけで、その加入者カードの識別番号により保護の認証が行われてデータを読み込むことができるため、その加入者カードを所有するユーザー本人以外の者がそのデータを閲覧できないようにすることができる。
【００１７】
また、前記読込用識別番号の追加を指示された際に、その時点で前記携帯電話端末に挿入されている加入者カード以外の別加入者カードの正当な識別番号および暗証番号が指示されたことを条件として、当該別加入者カードの識別番号を読込用追加識別番号として設定する第４のステップをさらに有し、
前記第３のステップでは、前記携帯電話端末内に格納されたデータの読み込みを指示された際に、当該データに識別番号が付加されており、かつ当該識別番号がその時点で前記携帯電話端末に設定されている前記読込用追加識別番号と一致しており、かつ前記読込用追加識別番号および前記暗証番号が入力されている場合にも、前記指示されたデータを前記携帯電話端末の画面に表示することとしても良い。
【００１８】
この構成によれば、現在挿入中の加入者カード以外の別加入者カードの識別番号を読込用追加識別番号として設定すれば、その別加入者カードが挿入されていなくても、その別加入者カードで保護されているデータを閲覧することができる。
【００１９】
また、前記携帯電話端末内から読み込んだデータの編集を指示された際に、当該データに識別番号が付加されており、かつ当該識別番号がその時点で前記携帯電話端末に設定されている前記書込用識別番号と一致している場合に、前記指示されたデータの編集を許可する旨を前記携帯電話端末の画面に表示する第５のステップをさらに有することとしても良い。
【発明の効果】
【００２０】
本発明は以上説明したように構成されているため、次に記載するような効果を奏する。
【００２１】
第１の効果は、加入者カードの識別番号と関連付けてデータを保護しているため、データを消去する処理を行わずとも、その加入者カードを所有するユーザー以外の者がデータを閲覧することを防止できるということである。そのため、複数のユーザーで１つの携帯電話端末を利用する場合にも、各ユーザーが加入者カードを入れ替えて利用することで、各ユーザーのデータが本人以外の者に閲覧されることがなく、それにより、各ユーザーが安心してデータの書き込み／読み込み処理を行うことができる。
【００２２】
第２の効果は、加入者カードを挿入して書き込みを行うだけでデータを保護することができ、また、その加入者カードで保護されたデータを閲覧する場合、その加入者カードを挿入するだけでその保護の認証が行われるため、携帯電話端末におけるデータ保護機能を利用するための処理が簡単になり、それにより、データ保護機能を利用する頻度が高くなることが期待できるということである。
【００２３】
従来技術においては、保護されているデータを閲覧する場合、その都度、その保護を認証するための処理（暗証番号入力等）を実行しなければならない等の煩わしさがあったため、実際には、本当に保護が必要な一部のデータ以外のデータについては、データ保護機能が利用されないケースが非常に多いと思われる。
【００２４】
これに対して、本発明は、加入者カードを利用するだけで、データを保護する処理とその保護を認証する処理とが自動的に実行されるため、ユーザー側では、意図的に加入者カードを挿入するという簡単な処理を行うだけでデータ保護機能を利用することができる。逆に、データを保護しない場合には、意図的に加入者カードを抜き取ってデータを書き込むことになる。このように、ユーザーは、あるデータについて、保護するか否かを強く認識した上で、データを書き込むことができるようになる。
【００２５】
第３の効果は、現在挿入中の加入者カード以外の別加入者カードの識別番号を読込用追加識別番号として設定すれば、その別加入者カードで保護されているデータを閲覧することができるということである。そのため、例えば、あるユーザーが仕事用とプライベート用の２枚の加入者カードを所有している場合、プライベート用の加入者カードを携帯電話端末に挿入していても、仕事用の加入者カードの識別番号および暗証番号を入力すれば、仕事用の加入者カードで保護しているデータを利用することができるようになる。
【発明を実施するための最良の形態】
【００２６】
以下、本発明を実施するための最良の形態について図面を参照して説明する。
【００２７】
図１は、本発明の一実施形態による、加入者カードを用いる携帯電話端末の回路構成を示す図である。なお、以下の記載では、携帯電話端末にて用いられる加入者カードがＳＩＭカードであるものとして説明する。
【００２８】
図１を参照すると、本発明の一実施形態による携帯電話端末１０は、ユーザーが操作を行うキー入力部（Ｋｅｙ）１１と、ユーザーへのメッセージやユーザーデータを画面に表示する表示部１２と、ソフトウェア処理を実行する制御部（Ｌｏｇｉｃ）１３と、ユーザーデータを格納する第１の格納手段である第１メモリ１４と、ＳＩＭカード１７のＩＤや暗証番号を格納する第２の格納手段である第２メモリ１５と、ＳＩＭカード１７が挿入されるＳＩＭカードスロット１６とを有している。
【００２９】
以下に、図１に示した携帯電話端末１０の動作について説明する。
【００３０】
まず、携帯電話端末１０の保護モードが、保護モード１、保護モード２、非保護モードへ遷移する場合の動作について、図２〜図４のフローチャートを参照して説明する。
【００３１】
図２を参照すると、ユーザーがキー入力部１１を操作し、携帯電話端末１０の電源をＯＮにすると（ステップ２０１）、制御部１３は、ＳＩＭカード１７がＳＩＭカードスロット１６に正常に挿入されているかを確認する（ステップ２０２）。
【００３２】
ステップ２０２において、ＳＩＭカード１７が正常に挿入されている場合、制御部１３は、そのＳＩＭカード１７のＩＤを読み込み（ステップ２０３）、読み込んだＩＤを書込用保護ＩＤかつ読込用保護ＩＤとして第２メモリ１５に格納する（ステップ２０４）。その後、携帯電話端末１０の保護モードが保護モード１へ遷移する。
【００３３】
なお、書込用保護ＩＤとは、ユーザーデータを書き込む場合に、そのユーザーデータを現在挿入中のＳＩＭカード１７で保護するために設定するＩＤである。この書込用保護ＩＤには、上述のように、現在挿入中のＳＩＭカード１７のＩＤが設定される。
【００３４】
また、読込用保護ＩＤとは、現在挿入中のＳＩＭカード１７でユーザーデータが保護されている場合に、そのユーザーデータを読み込むために設定するＩＤである。この読込用保護ＩＤには、上述のように、現在挿入中のＳＩＭカード１７のＩＤが設定される。
【００３５】
一方、ステップ２０２において、ＳＩＭカード１７が正常に挿入されていない場合、携帯電話端末１０の保護モードが非保護モードへ遷移する。
【００３６】
なお、本実施形態においては、ＳＩＭカード１７を挿抜する際には、必ず電源がＯＦＦされ、かつ電源がＯＦＦされた時点で書込用保護ＩＤ、読込用保護ＩＤ、後述する読込用追加保護ＩＤの設定が解除されるものとする。すなわち、ＳＩＭカード１７を入れ替えた場合には、新たに挿入されたＳＩＭカード１７のＩＤが書込用保護ＩＤかつ読込用保護ＩＤとして必ず自動的に設定されるものとする。
【００３７】
図３を参照すると、非保護モードまたは保護モード１の状態で、ユーザーがキー入力部１１を操作し、読込用保護ＩＤを追加するための機能を呼び出すと（ステップ３０１）、制御部１３は、読込用保護ＩＤとして追加する、現在挿入中のＳＩＭカード１７以外の別ＳＩＭカード１７のＩＤおよび暗証番号の入力を促す画面を表示部１２に表示させる。
【００３８】
なお、読込用保護ＩＤとして追加するＩＤ（以下、読込用追加保護ＩＤと称する）とは、現在挿入中のＳＩＭカード１７以外の別ＳＩＭカード１７でユーザーデータが保護されている場合に、そのユーザーデータを読み込むために設定するＩＤである。この読込用追加保護ＩＤには、上述のように、現在挿入中のＳＩＭカード１７以外の別ＳＩＭカード１７のＩＤが設定される。
【００３９】
ユーザーがキー入力部１１を操作し、別ＳＩＭカード１７のＩＤと暗証番号とを入力すると（ステップ３０２）、制御部１３は、携帯電話端末１０にて使用可能な全ＳＩＭカードのＩＤと暗証番号との組合せデータが格納されている第２メモリ１５内に、ユーザーが入力したＩＤと暗証番号との組合せデータに一致するデータがあるか検索を行う（ステップ３０３）。すなわち、制御部１３は、ユーザーがＩＤおよび暗証番号を入力したＳＩＭカード１７が、携帯電話端末１０にて使用可能なＳＩＭカードであるかの検索を行う。
【００４０】
ステップ３０３において、第２メモリ１５内に一致する組合せデータがない場合、すなわち、ユーザーがＩＤおよび暗証番号を入力した別ＳＩＭカード１７が携帯電話端末１０にて使用可能なＳＩＭカードではない場合、制御部１３は、その旨の警告メッセージを表示部１２に表示させる（ステップ３０７）。
【００４１】
一方、ステップ３０３において、第２メモリ１５内に一致する組合せデータがあった場合、すなわち、ユーザーがＩＤおよび暗証番号を入力した別ＳＩＭカード１７が携帯電話端末１０にて使用可能なＳＩＭカードである場合、続いて、制御部１３は、ユーザーが入力したＩＤとその時点で第２メモリ１５に格納されている読込用保護ＩＤとの比較を行い、ユーザーが入力したＩＤが既に読込用保護ＩＤとして設定されて第２メモリ１５に格納されているか、すなわち、ユーザーが現在挿入中のＳＩＭカードのＩＤを入力しているかを確認する（ステップ３０４）。
【００４２】
ステップ３０４において、ユーザーが入力したＩＤが既に読込用保護ＩＤとして設定されている場合、すなわち、ユーザーが現在挿入中のＳＩＭカードのＩＤを入力しており、そのＩＤを読込用追加保護ＩＤとして設定できない場合、制御部１３は、その旨の警告メッセージを表示部１２に表示させる（ステップ３０７）。
【００４３】
一方、ステップ３０４において、ユーザーが入力したＩＤが読込用保護ＩＤとして設定されていない場合、制御部１３は、ユーザーが入力した別ＳＩＭカード１７のＩＤを、読込用追加保護ＩＤとして第２メモリ１５に格納し（ステップ３０５）、保護モード２へ遷移したことを示す画面を表示部１２に表示させる（ステップ３０６）。その後、携帯電話端末１０の保護モードが保護モード２へ遷移する。
【００４４】
図４を参照すると、保護モード２の状態で、ユーザーがキー入力部１１を操作し、ＨＬＤキーを押下すると（ステップ４０１）、制御部１３は、図３の手順で追加された読込用追加保護ＩＤを第２メモリ１５から直ちに削除し（ステップ４０２）、保護モード２を示す画面を削除（消灯）するよう表示部１２に指示する（ステップ４０３）。
【００４５】
制御部１３は、第２メモリ１５から読込用追加保護ＩＤを削除した後、図２の手順で第２メモリ１５に格納された書込用保護ＩＤおよび読込用保護ＩＤが存在するかを確認する（ステップ４０４）。
【００４６】
ステップ４０３において、書込用保護ＩＤおよび読込用保護ＩＤが存在しない場合は、携帯電話端末１０の保護モードが非保護モードへ遷移し、存在する場合は、携帯電話端末１０の保護モードが保護モード１へ遷移する。
【００４７】
続いて、ユーザーがユーザーデータの書き込み・読み込み（閲覧）・編集（削除）を行う場合の動作について、図５〜図７のフローチャートを用いて説明する。
【００４８】
図５を参照すると、ユーザーがキー入力部１１を操作し、新規作成したユーザーデータの書き込みを指示すると、制御部１３は、その時点で第２メモリ１５に格納されている書込用保護ＩＤを読み出すための処理を行い（ステップ５０１）、書込用保護ＩＤを正常に読み出すことができたかを確認する（ステップ５０２）。
【００４９】
ステップ５０２において、第２メモリ１５から書込用保護ＩＤを読み出すことができた場合、すなわち、その時点で書込用保護ＩＤが設定されている場合、制御部１３は、その時点で第２メモリ１５に格納されている書込用保護ＩＤを読み出し（ステップ５０２）、読み出した書込用保護ＩＤを新規作成されたユーザーデータに付加した上で（ステップ５０３）、第１メモリ１４に格納する（ステップ５０４）。
【００５０】
一方、ステップ５０１において、第２メモリ１５から書込用保護ＩＤを読み出すことができなかった場合、すなわち、その時点で書込用保護ＩＤが設定されていない場合、制御部１３は、そのユーザーデータをそのまま第１メモリ１４に格納する（ステップ５０４）。
【００５１】
図６を参照すると、ユーザーがキー入力部１１を操作し、ユーザーデータの読み込みを指示すると、制御部１３は、第１メモリ１４からユーザーデータを読み出し（ステップ６０１）、読み出したユーザーデータに書込用保護ＩＤが付加されているかを確認する（ステップ６０２）。
【００５２】
ステップ６０２において、ユーザーデータに書込用保護ＩＤが付加されていない場合、制御部１３は、そのユーザーデータを表示部１２に表示させる（ステップ６０５）。
【００５３】
一方、ステップ６０２において、ユーザーデータに書込用保護ＩＤが付加されている場合、制御部１３は、その時点で第２メモリ１５に格納されている読込用保護ＩＤまたは読込用追加保護ＩＤを読み出し（ステップ６０３）、読み出した読込用保護ＩＤまたは読込用追加保護ＩＤと、第１メモリ１４から読み出したユーザーデータに付加されている書込用保護ＩＤとが一致しているか照合する（ステップ６０４）。
【００５４】
ステップ６０４において、第１メモリ１４から読み出したユーザーデータに付加されている書込用保護ＩＤが、その時点で第２メモリ１５に格納されている読込用保護ＩＤまたは読込用追加保護ＩＤと一致している場合、すなわち、第１メモリ１４から読み出したユーザーデータが現在挿入中のＳＩＭカードで保護されているか、または読込用追加保護ＩＤを設定した別ＳＩＭカード１７で保護されている場合、制御部１３は、第１メモリ１４から読み出したユーザーデータを表示部１２に表示させる（ステップ６０５）。
【００５５】
一方、ステップ６０４において、第１メモリ１４から読み出したユーザーデータに付加されている書込用保護ＩＤが、その時点で第２メモリ１５に格納されている読込用保護ＩＤまたは読込用追加保護ＩＤのどちらにも一致しない場合、制御部１３は、第１メモリ１４から読み出したユーザーデータを表示部１２に表示させずに処理を終了する。
【００５６】
図７を参照すると、図６の手順により表示部１２にユーザーデータが表示された状態で、ユーザーがキー入力部１１を操作し、そのユーザーデータを編集するためのサブメニュー画面の表示を指示すると（ステップ７０１）、制御部１３は、その時点で表示されているユーザーデータに書込用保護ＩＤが付加されているかを確認する（ステップ７０２）。
【００５７】
ステップ７０２において、その時点で表示されているユーザーデータに書込用保護ＩＤが付加されていない場合、制御部１３は、そのユーザーデータの編集処理を許可することとし、サブメニュー上で編集処理を選択可能とした上で（ステップ７０５）、そのサブメニューを表示部１２に表示させる（ステップ７０６）。
【００５８】
一方、ステップ７０２において、その時点で表示されているユーザーデータに書込用保護ＩＤが付加されている場合、制御部１３は、その時点で第２メモリ１５に格納されている書込用保護ＩＤを読み出し（ステップ７０３）、読み出した書込用保護ＩＤと、その時点で表示されているユーザーデータに付加されている書込用保護ＩＤとが一致しているか照合する（ステップ７０４）。
【００５９】
ステップ７０４において、その時点で表示されているユーザーデータに付加されている書込用保護ＩＤが、その時点で第２メモリ１５に格納されている書込用保護ＩＤと一致している場合、すなわち、その時点で表示されているユーザーデータが現在挿入中のＳＩＭカードで保護されている場合、制御部１３は、そのユーザーデータの編集処理を許可することとし、サブメニュー上で編集処理を選択可能とした上で（ステップ７０５）、そのサブメニューを表示部１２に表示させる（ステップ７０６）。
【００６０】
一方、ステップ７０４において、その時点で表示されているユーザーデータに付加されている書込用保護ＩＤが、その時点で第２メモリ１５に格納されている書込用保護ＩＤと一致しない場合、すなわち、その時点で表示されているユーザーデータが現在挿入中のＳＩＭカード１７で保護されてない場合、制御部１３は、そのユーザーデータの編集処理を許可しないこととし、サブメニュー上で編集処理の選択を不可とした上で（ステップ７０７）、そのサブメニューを表示部１２に表示させる（ステップ７０６）。
【００６１】
なお、本発明においては、ＳＩＭカード１７の識別番号として、ＳＩＭカード１７に保存されている電話番号（サービス事業者が管理する電話番号）や、ＳＩＭカード１７のサービスに加入している加入者を認証するためのパスワード（例えば、ＰＩＮコード）を用いても良い。
【００６２】
また、本発明においては、書込用保護ＩＤ、読込用保護ＩＤ、読込用追加保護ＩＤを、ＳＩＭカードのＩＤとは無関係で任意のＩＤに設定し、利用目的ごとにユーザーデータを分類することとしても良い。例えば、仕事用のユーザーデータとプライベート用のユーザーデータとを区別し、それぞれのユーザーデータに個別にＩＤを設定することが考えられる。これにより、本発明を、データ保護という観点で利用するだけでなく、膨大なユーザーデータの分類分けという観点でも利用することが可能となる。この場合、携帯電話端末１０の電源がＯＮした時に、ユーザー自身で、書込用保護ＩＤ、読込用保護ＩＤ、読込用追加保護ＩＤをそれぞれ入力し、設定すれば良い。
【００６３】
また、本発明においては、ＳＩＭカード１７の代わりに外部メモリ（ＳＤカードやメモリスティックなど）を挿入し、この外部メモリに格納されるユーザーデータを保護することとしても良い。この場合、外部メモリのＩＤや暗証番号を利用してユーザーデータの保護やその保護の認証を行えば良い。
【００６４】
また、本発明においては、携帯電話端末１０がＰＣ（パーソナルコンピュータ）に接続され、ＰＣを介してユーザーデータの書き込み／読み込み処理が行われる場合にも、ＳＩＭカード１７のＩＤや暗証番号を利用してユーザーデータの保護やその保護の認証を行うことができる。
【図面の簡単な説明】
【００６５】
【図１】本発明の一実施形態による、加入者カードを用いる携帯電話端末の回路構成図である。
【図２】図１に示した携帯電話端末において、当該携帯電話端末が保護モード１または非保護モードに遷移する場合の動作を説明するフローチャートである。
【図３】図１に示した携帯電話端末において、当該携帯電話端末が保護モード２に遷移する場合の動作を説明するフローチャートである。
【図４】図１に示した携帯電話端末において、当該携帯電話端末が保護モード１または非保護モードに再度遷移する場合の動作を説明するフローチャートである。
【図５】図１に示した携帯電話端末において、データを書込む場合の動作を説明するフローチャートである。
【図６】図１に示した携帯電話端末において、データを読込む場合の動作を説明するフローチャートである。
【図７】図１に示した携帯電話端末において、データを編集する場合の動作を説明するフローチャートである。
【符号の説明】
【００６６】
１１    キー入力部（Ｋｅｙ）
１２    表示部
１３    制御部（Ｌｏｇｉｃ）
１４    第１メモリ
１５    第２メモリ
１６    ＳＩＭカードスロット
１７    ＳＩＭカード
【図１】
2005079799.tif 000003
【図２】
2005079799.tif 000004
【図３】
2005079799.tif 000005
【図４】
2005079799.tif 000006
【図５】
2005079799.tif 000007
【図６】
2005079799.tif 000008
【図７】
2005079799.tif 000009